(57)【要約】      （修正有）【課題】被看護人による施設内への入院時から退院時までの病床ＩＤを当該被看護人が有する被看護人識別ＩＤに割当てて時系列で管理し、この病床ＩＤに対応するフロア病床レイアウトで被看護人の動線履歴情報を表示させる。【解決手段】ナースコール親機３の親機ＣＰＵ３３は、親機操作部３１で入力される病床ＩＤを当該被看護人が有する被看護人識別ＩＤに割当てて制御機５の記憶部５０に時系列で管理させる。また、親機ＣＰＵは、親機操作部で指定された被看護人識別ＩＤに割当てられている病床ＩＤを記憶部から読出し、読出された病床ＩＤに対応するフロア病床レイアウトで、被看護人の動線履歴情報をナースコール親機の親機表示部３０に表示させる。【選択図】図２
2014083353.tif 000002
【特許請求の範囲】
【請求項１】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からの呼出しに前記医療・看護従事者が応答して通話を成立させるナースコール親機と、前記ナースコール子機及び前記ナースコール親機を制御する制御機とを有するナースコールシステムであって、
前記制御機は、前記被看護人による前記施設内への入院時から退院時までの病床ＩＤを当該被看護人が有する被看護人識別ＩＤに割当てて時系列で管理する記憶部を備え、
前記ナースコール親機は、前記被看護人識別ＩＤに割当てられて前記制御機の前記記憶部に管理されている前記病床ＩＤをもとに前記被看護人の動線履歴情報を表示する親機表示部と、前記被看護人による前記施設内への入院時から退院時までの病床ＩＤを入力するとともに前記親機表示部に前記動線履歴情報を表示させる対象の前記被看護人が有する前記被看護人識別ＩＤを指定する親機操作部と、前記親機操作部で入力された前記病床ＩＤを前記被看護人識別ＩＤに割当てて前記制御機の前記記憶部に時系列で記憶させる親機ＣＰＵとを備え、
前記ナースコール親機の前記親機ＣＰＵは、前記親機操作部で指定された前記被看護人識別ＩＤに割当てられている前記病床ＩＤを前記制御機の前記記憶部から読出し、前記読出した病床ＩＤに対応するフロア病床レイアウトの動線履歴情報を前記親機表示部に表示させることを特徴とするナースコールシステム。
【請求項２】
前記ナースコール親機の前記親機ＣＰＵは、前記動線履歴情報を前記親機表示部に一定時間表示させることを特徴とする請求項１記載のナースコールシステム。
【請求項３】
前記ナースコール親機の前記親機ＣＰＵは、前記一定時間の経過後において、前記経過直前に前記親機表示部に表示されていた前記動線履歴情報に該当する病床ＩＤから所定の時間遡った当該動線履歴情報に該当する病床ＩＤを前記制御機の前記記憶部から読出し、前記読出した病床ＩＤに対応するフロア病床レイアウトの動線履歴情報を前記親機表示部に表示させることを特徴とする請求項２記載のナースコールシステム。
【請求項４】
前記記憶部は、前記制御機に代えてサーバに備えられることを特徴とする請求項１乃至請求項３のうち何れか１項記載のナースコールシステム。
【発明の詳細な説明】
【技術分野】
【０００１】
本発明は、病院等の医療・看護施設内に設置されるナースコールシステムに係り、特に、被看護人による施設内への入院時から退院時までの病床ＩＤを当該被看護人が有する被看護人識別ＩＤに割当てて時系列で管理し、この病床ＩＤに対応するフロア病床レイアウトで被看護人の動線履歴情報を表示することにより、医療・看護従事者に確認させることができるナースコールシステムに関する。
【背景技術】
【０００２】
従来から、病院や介護施設において、看護師や介護師等の医療スタッフ（医療・看護従事者）に対する看護支援を行うために使用され、感染症に指定された患者と接触した可能性のある他の患者（被看護人）を簡単かつ迅速に特定できるようにした看護支援システムが開示されている（例えば、特許文献１を参照）。
【０００３】
この看護支援システムによれば、複数の患者の各識別情報に対応付けて少なくとも当該患者が滞在した病棟又は病室を表す情報とその在院期間を記憶した在院履歴データベースが設けられ、この在院履歴データベースの検索モードとして感染症対応検索モードが新たに設けられる。したがって、感染症対応検索モードが指定された状態で、感染症に指定された患者の識別情報が検索条件として入力された場合に、患者リスト作成手段により入力された患者の識別情報をもとに在院履歴データベースを検索し、その検索結果をもとに感染症に指定された患者と同一期間に同一病棟又は病室に滞在した他の患者のリストを作成することができる。
【先行技術文献】
【特許文献】
【０００４】
【特許文献１】特開２００５−２４５４７号公報
【発明の概要】
【発明が解決しようとする課題】
【０００５】
しかしながら、背景技術に記載した特許文献１の看護支援システムによれば、感染症に指定された患者と同一期間に同一病棟又は病室に滞在した他の患者のリストが表示され、その内容を医療スタッフが確認することができる一方、例えば、同一の病室に居た時間が分かりづらく、さらには、隣接の病室に居た患者を特定することができなかった。
【０００６】
本発明は、これらの難点を解消するためになされたもので、被看護人による施設内への入院時から退院時までの病床ＩＤを当該被看護人が有する被看護人識別ＩＤに割当てて時系列で管理し、この病床ＩＤに対応するフロア病床レイアウトの動線履歴情報をもとに、接触した他の被看護人の情報や移動にあたっての滞在時間等を医療・看護従事者に確認させて感染症対策を容易としたナースコールシステムを提供することを目的としている。
【課題を解決するための手段】
【０００７】
前述の目的を達成するため、本発明の第１の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からの呼出しに医療・看護従事者が応答して通話を成立させるナースコール親機と、ナースコール子機及びナースコール親機を制御する制御機とを有する当該システムである。制御機は、被看護人による施設内への入院時から退院時までの病床ＩＤを当該被看護人が有する被看護人識別ＩＤに割当てて時系列で管理する記憶部を備えている。ナースコール親機は、被看護人識別ＩＤに割当てられて制御機の記憶部に管理されている病床ＩＤをもとに被看護人の動線履歴情報を表示する親機表示部と、被看護人による施設内への入院時から退院時までの病床ＩＤを入力するとともに親機表示部に動線履歴情報を表示させる対象の被看護人が有する被看護人識別ＩＤを指定する親機操作部と、親機操作部で入力された病床ＩＤを被看護人識別ＩＤに割当てて制御機の記憶部に時系列で記憶させる親機ＣＰＵとを備えている。ナースコール親機の親機ＣＰＵは、親機操作部で指定された被看護人識別ＩＤに割当てられている病床ＩＤを制御機の記憶部から読出し、読出した病床ＩＤに対応するフロア病床レイアウトの動線履歴情報を親機表示部に表示させるものである。
【０００８】
この態様のナースコールシステムによれば、被看護人による施設内への入院時から退院時までの病床ＩＤを当該被看護人が有する被看護人識別ＩＤに割当てて制御機の記憶部に時系列で管理し、この病床ＩＤをもとに生成されるフロア病床レイアウトで、被看護人の動線履歴情報をナースコール親機の親機表示部に表示させることができる。
【０００９】
また、本発明の第２の態様であるナースコールシステムは、本発明の第１の態様において、ナースコール親機の親機ＣＰＵは、動線履歴情報を親機表示部に一定時間表示させるものである。
【００１０】
この態様のナースコールシステムによれば、被看護人の動線履歴情報をナースコール親機の親機表示部にフロア病床レイアウトで表示させるにあたって、その表示を一定時間とし、切換えることができる。
【００１１】
また、本発明の第３の態様であるナースコールシステムは、本発明の第２の態様において、ナースコール親機の前記親機ＣＰＵは、一定時間の経過後において、経過直前に親機表示部に表示されていた動線履歴情報に該当する病床ＩＤから所定の時間遡った当該動線履歴情報に該当する病床ＩＤを制御機の記憶部から読出し、読出した病床ＩＤに対応するフロア病床レイアウトの動線履歴情報を親機表示部に表示させるものである。
【００１２】
この態様のナースコールシステムによれば、被看護人の動線履歴情報をナースコール親機の親機表示部にフロア病床レイアウトで表示させるにあたって、その情報を時系列で遡って切換えることができる。
【００１３】
また、本発明の第４の態様であるナースコールシステムは、本発明の第１の態様乃至第３の態様のうち何れか１の態様において、記憶部は、制御機に代えてサーバに備えられるものである。
【００１４】
この態様のナースコールシステムによれば、被看護人が有する被看護人識別ＩＤに割当てて時系列で管理される当該被看護人による施設内への入院時から退院時までの病床ＩＤを、例えば、被看護人の疾患に係る担当科データ、検査や手術に係るオーダデータ、電子カルテデータ等の被看護人関連情報が記憶されるオーダリングサーバ等のサーバに備えることができる。したがって、被看護人識別ＩＤに割当てられた病床ＩＤを例えば、被看護人関連情報とともに一元的に管理することができる。
【発明の効果】
【００１５】
本発明のナースコールシステムによれば、被看護人による施設内への入院時から退院時までの病床ＩＤを当該被看護人が有する被看護人識別ＩＤに割当てて時系列で管理し、この病床ＩＤをもとに生成されるフロア病床レイアウトで、被看護人の動線履歴情報を表示させることができる。したがって、医療・看護従事者によれば、被看護人に例えば、感染症が発覚した場合、当該被看護人の動線履歴情報をもとに、接触した他の被看護人の情報や病床移動にあたっての滞在時間等を確認することができ、感染症対策が容易となる。
【図面の簡単な説明】
【００１６】
【図１】図１は、本発明の実施例によるナースコールシステムの全体構成を示すシステム説明図である。
【図２】図２（Ａ）は、本発明の実施例によるナースコールシステムにおいて制御機の具体的な構成を示すブロック図である。また、図２（Ｂ）は、同システムにおいてナースコール親機の具体的な構成を示すブロック図である。
【図３】図３は、本発明の実施例によるナースコールシステムにおいて適用される（Ａ）情報記憶動作、（Ｂ）情報読出動作の各遷移例を示すフローチャート図である。
【図４】図４（Ａ）、（Ｂ）、（Ｃ）、（Ｄ）、・・・は、本発明の実施例によるナースコールシステムにおいてナースコール親機の親機表示部に表示されるフロア病床レイアウト例を示す画面構成遷移図である。
【発明を実施するための形態】
【００１７】
以下、本発明のナースコールシステムを適用した実施の形態例について、図面を参照して説明する。
【００１８】
図１は、本発明の実施例によるナースコールシステムの全体構成を示すシステム説明図である。このナースコールシステムは、病院等の医療・看護施設内（以下、施設内という）に設置されるものであり、ナースコール子機１、１、・・・、１、１、・・・、・・・、廊下灯２、２、・・・、ナースコール親機３、プリンタ４及び制御機５を有している。
【００１９】
ここで、ナースコール子機１、１、・・・、１、１、・・・、・・・にはそれぞれ、子機ラインＬ1、Ｌ1、・・・を経由して廊下灯２、２、・・・が接続、例えば、個別配線で接続されている。また、ナースコール親機３には、プリンタラインＬ4を経由してプリンタ４が接続されている。さらに、制御機５には、廊下灯ラインＬ2を経由して廊下灯２、２、・・・が接続、例えば、渡り配線で接続されているとともに、親機ラインＬ3を経由してナースコール親機３が接続されている。
【００２０】
なお、ナースコール子機１、１、・・・、１、１、・・・、・・・及び廊下灯２、２、・・・間の接続は、図示のような個別配線の接続に限定されるものではなく、例えば、廊下灯２、２、・・・に対して複数台のナースコール子機１、１、・・・、１、１、・・・、・・・を順次接続する渡り配線の態様も好適とされる。また、廊下灯２、２、・・・及び制御機５間の接続についても、図示のような渡り配線の接続に限定されるものではなく、例えば、バス接続の態様も好適とされる。
【００２１】
ナースコール子機１、１、・・・、１、１、・・・、・・・は、それぞれ同様な構成で個別の子機ＩＤを有しており、施設内における例えば、２０１号室、２０２号室、・・・・のような（複数の）部屋内の各病床の被看護人（患者）が、例えば、ナースコール親機３が設置されるスタッフステーション等の施設内共用部に在室中の例えば、医師や看護師又は看護助手等の医療・看護従事者に対し、通常呼出し、トイレ・風呂介助等を求める緊急呼出し、点滴の終了を知らせる確認呼出し等、ナースコール呼出しに係る呼出種別毎で異なる呼出操作を行うとともに、この被看護人が医療・看護従事者との間で音声を送受信して通話を成立させるものである。
【００２２】
ここで、ナースコール子機１、１、・・・、１、１、・・・、・・・は、部屋内の病床数に対応させて任意の台数を設けることができる。また、ナースコール子機１、１、・・・、１、１、・・・、・・・としては、前述のような呼出操作が行われる呼出操作機能を有する呼出握りボタン等のハンド子機１ａと、ハンド子機１ａに接続され前述のような通話を成立させる通話機能を有するプレート子機１ｂとで構成されるものである。
【００２３】
なお、ハンド子機１ａには、呼出操作機能のみならず前述のような通話機能を備えることもできる。また、プレート子機１ｂには、通話機能のみならず前述のような呼出操作機能や、被看護人からの呼出し（ナースコール呼出し）を待受状態に復旧させる呼出復旧操作機能を備えることもできる。
【００２４】
廊下灯２、２、・・・は、それぞれ同様な構成で個別の廊下灯ＩＤを有しており、前述のような各部屋の出入口近傍に設置されるものであって、ナースコール子機１、１、・・・、１、１、・・・、・・・を用いた被看護人からの呼出し（ナースコール呼び出し）を、通常呼出し、トイレ・風呂介助等を求める緊急呼出し、点滴の終了を知らせる確認呼出し等、呼出種別毎に異なるパターンで報知（呼出表示、呼出発報）するものである。
【００２５】
ナースコール親機３は、前述のようなスタッフステーション等の施設内共用部に設置され、ナースコール子機１、１、・・・、１、１、・・・、・・・を用いた被看護人からの呼出し（ナースコール呼出し）を、通常呼出し、トイレ・風呂介助等を求める緊急呼出し、点滴の終了を知らせる確認呼出し等、呼出種別毎に異なるパターンで報知（呼出表示、呼出発報）するとともに、これを確認した医療・看護従事者が被看護人との間で音声を送受信して通話を成立させるばかりでなく、被看護人による施設内への入院時から退院時までの動線履歴情報を（必要に応じて）フロア病床レイアウトで表示するものである。
【００２６】
なお、ナースコール親機３の構成態様としては、図示のような電子情報出力型の当該親機に限定されず、例えば、ＰＣ（パーソナル・コンピュータ）型やボード型の当該親機も好適とされる。また、ナースコール親機３には、通常、ナースコール子機１、１、・・・、１、１、・・・、・・・を個別呼出し又は一斉呼出しする機能が備えられている。
【００２７】
プリンタ４は、通常、ナースコール親機３とともに前述のようなスタッフステーション等の施設内共用部に設置され、このナースコール親機３の制御によって被看護人の動線履歴情報を印刷するものである。
【００２８】
制御機５は、廊下灯ラインＬ2を経由して廊下灯２、２、・・・、親機ラインＬ3を経由してナースコール親機３をそれぞれ接続する中継器として例えば、施設内共用部に設置されており、これら接続機器を制御するものである。
【００２９】
次に、制御機５の具体的な構成について図２（Ａ）のブロック図を参照して説明する。同図に示す制御機５には、制御機記憶部５０、制御機ＣＰＵ５１、廊下灯側制御機Ｉ／Ｆ５２及び親機側制御機Ｉ／Ｆ５３が備えられている。
【００３０】
この制御機５において、制御機記憶部５０は、被看護人による施設内への入院時から退院時までの病床ＩＤを当該被看護人が有する被看護人識別ＩＤに割当てて時系列で管理（記憶）するものであり、例えば、ＲＡＭ、ＥＥＰＲＯＭ等の各種の記憶媒体で構成されている。また、制御機ＣＰＵ５１は、当該制御機の構成各部を制御するばかりでなく当該システム全体を制御するものであって、具体的には、制御機記憶部５０への情報記憶動作／当該記憶部５０からの情報読出動作を制御することができる。
【００３１】
廊下灯側制御機Ｉ／Ｆ５２は、制御機ＣＰＵ５１及び廊下灯ラインＬ2間の信号伝送路を形成するものである。また、親機側制御機Ｉ／Ｆ５３は、制御機ＣＰＵ５１及び親機ラインＬ3間の信号伝送路を形成するものである。
【００３２】
次に、ナースコール親機３の具体的な構成について図２（Ｂ）のブロック図を参照して説明する。同図に示すナースコール親機３には、親機表示部３０、親機操作部３１、親機通話部３２、親機ＣＰＵ３３、制御機側親機Ｉ／Ｆ３４及びプリンタ側親機Ｉ／Ｆ３５が備えられている。
【００３３】
このナースコール親機３において、親機表示部３０は、ナースコール子機１、１、・・・、１、１、・・・、・・・を用いた被看護人からの呼出し（ナースコール呼出し）があることを表示（呼出表示）するとともに、被看護人が有する被看護人識別ＩＤに割当てられて制御機５の制御機記憶部５０に管理（記憶）されている病床ＩＤをもとに生成されるフロア病床レイアウトで当該被看護人の動線履歴情報を表示するものであって、例えば、ＬＣＤ、有機ＥＬディスプレイ等の各種の表示媒体で構成されている。
【００３４】
親機操作部３１は、前述のような被看護人からの呼出し（ナースコール呼出し）に医療・看護従事者が応答するための操作を行うものであり、例えば、親機表示部３０の前面に設置されたタッチパネル（や所定の操作ボタン）で構成されている。また、親機操作部３１は、被看護人による施設内への入院時から退院時までの病床ＩＤ、具体的には、被看護人の入院時における入院時病床ＩＤや入院後における被看護人の移動先である移動先病床ＩＤを入力するとともに、親機表示部３０に動線履歴情報を表示させる対象の被看護人を、当該被看護人が有する被看護人識別ＩＤで指定することができる。
【００３５】
親機通話部３２は、医療・看護従事者が被看護人との間で通話を成立させるための音声を送受信するものであり、例えば、マイク及びスピーカで構成されている。また、親機通話部３２を構成するスピーカは、前述のような呼出し（ナースコール呼出し）があることを報知（呼出発報）するための呼出音や音声メッセージ等を出力することができる。なお、親機通話部３２としては、図示のようなハンドセットを適用することもできる。
【００３６】
親機ＣＰＵ３３は、当該ナースコール親機の構成各部を制御するものである。具体的には、親機操作部３１で入力された病床ＩＤを（被看護人が有する）被看護人識別ＩＤに割当てて制御機５の制御機記憶部５０に時系列で管理（記憶）させることができる。また、親機ＣＰＵ３３は、親機操作部３１で指定された被看護人識別ＩＤに割当てられている病床ＩＤを制御機記憶部５０から読出し、読出した病床ＩＤに対応するフロア病床レイアウトの動線履歴情報を親機表示部３０に一定時間表示させることができる。また、親機ＣＰＵ３３は、前述のような一定時間の経過後において、当該経過直前に親機表示部３０に表示されていた動線履歴情報に該当する病床ＩＤから所定の時間遡った当該動線履歴情報に該当する病床ＩＤを制御機記憶部５０から読出し、読出した病床ＩＤに対応するフロア病床レイアウトの動線履歴情報を親機表示部３０に表示させることができる。
【００３７】
廊下灯側親機Ｉ／Ｆ３４は、親機通話部３２及び親機ラインＬ3間の信号伝送路、親機ＣＰＵ３３及び親機ラインＬ3の信号伝送路をそれぞれ形成するものである。また、プリンタ側親機Ｉ／Ｆ３５は、親機ＣＰＵ３３及びプリンタラインＬ4間の信号伝送路を形成するものである。
【００３８】
このように構成された本発明の実施例によるナースコールシステムにおいて、以下、具体的な動作について前述の図１及び図２のみならず、図３（Ａ）、（Ｂ）のフローチャート図及び図４（Ａ）、（Ｂ）、（Ｃ）、（Ｄ）、・・・の画面構成遷移図を参照して説明する。
【００３９】
図１に示す当該システムが適用される施設内への入院対象者として、例えば、その氏名（氏名データ）が「鈴木  太郎」である被看護人の入院時から退院時までの病床ＩＤを、この被看護人が有する被看護人識別ＩＤ、例えば、「０００１」に割当てて、図２（Ａ）に示す制御機５の制御機記憶部５０に時系列で管理（記憶）するにあたり、スタッフステーション等の施設内共用部に在室中の医療・看護従事者は、図２（Ｂ）に示すナースコール親機３の親機操作部３１を用いて、前述の被看護人識別ＩＤ「０００１」とともに、入院時における入院時病床ＩＤ、例えば、単床の２０１号室に該当する「２０１」を入力する（ステップＳＴ１、ＳＴ２、ＳＴ３）。これらの操作を検出した親機ＣＰＵ３３は、被看護人識別ＩＤ「０００１」に割当てて入院時病床ＩＤ「２０１」及び入院日時データ、例えば、「入院日時：１０月１１日午前１０時」を付加した入院時被看護人情報を生成する。この入院時被看護人情報は、親機ＣＰＵ３３から制御機側親機Ｉ／Ｆ３４、親機ラインＬ3、制御機５の親機側制御機Ｉ／Ｆ５３を経由して制御機ＣＰＵ５１に伝送される。
【００４０】
制御機５の制御機ＣＰＵ５１は、ナースコール親機３から伝送されてきた入院時被看護人情報を受信すると、被看護人の氏名データ「鈴木太郎」や被看護人識別ＩＤ「０００１」に割当てて、入院時病床ＩＤ「２０１」を入院日時データ「１０月１１日午前１０時」とともに制御機記憶部５０に管理（記憶）させることができる（ステップＳＴ４）。
【００４１】
次に、前述のような氏名データ「鈴木太郎」及び被看護人識別ＩＤ「０００１」を有する被看護人の入院後において、この被看護人による最初の病床移動先として「２０１号室」から例えば、２床の２１０号室への病床移動が行われる場合、この移動情報を予め確認し得るスタッフステーション等の施設内共用部に在室中の医療・看護従事者は、図２（Ｂ）に示すナースコール親機３の親機操作部３１を用いて、その被看護人が有する被看護人識別ＩＤ「０００１」とともに、病床移動先の移動先病床ＩＤである、２１０号室内の特定の病床に該当する例えば、「２１０−１」を入力する（ステップＳＴ５、ＳＴ６）。これらの操作を検出した親機ＣＰＵ３３は、被看護人識別ＩＤ「０００１」に割当てて移動先病床ＩＤ「２１０−１」及び移動日時データ、例えば、「移動日時：１１月１日午前９時」を付加した移動先被看護人情報を生成する。この移動先被看護人情報は、前述の入院時被看護人情報と同様な信号伝送路を経由して図２（Ａ）に示す制御機５の制御機ＣＰＵ５１に伝送される。
【００４２】
制御機５の制御機ＣＰＵ５１は、ナースコール親機３から伝送されてきた移動先被看護人情報を受信すると、被看護人の氏名データ「鈴木太郎」や被看護人識別ＩＤ「０００１」に割当てて、移動先病床ＩＤ「２１０−１」を移動日時データ「１１月１日午前９時」とともに制御機記憶部５０に管理（記憶）させることができる（ステップＳＴ７、ＳＴ８）。
【００４３】
したがって、制御機５の制御機記憶部５０には、被看護人の氏名データ「鈴木太郎」や被看護人識別ＩＤ「０００１」に割当ててられた、入院時における入院時病床ＩＤ「２０１」及びその入院日時「１０月１１日午前１０時」と、病床移動にあたっての移動先病床ＩＤ「２１０−１」及びその移動日時「１１月１日午前９時」とがそれぞれ、時系列で記管理（記憶）されることになり、被看護人による病床移動が退院時までの間多数回に亘って行われる場合であっても、その病床移動のたびに移動先病床ＩＤ及び移動日時を時系列で管理（記憶）させることができる（ステップＳＴ５、ＳＴ６、ＳＴ７、ＳＴ８）。
【００４４】
次に、前述のような氏名データ「鈴木太郎」及び被看護人識別ＩＤ「０００１」を有する被看護人の入院時から病床移動先を含め例えば、退院時までの病床ＩＤが図２（Ａ）に示す制御機５の制御機記憶部５０に時系列で管理（記憶）されている後のタイミングにおいて、その被看護人に例えば、感染症が発覚し、所定の時間における動線履歴情報を図２（Ｂ）に示すナースコール親機３の親機表示部３０にフロア病床レイアウトで表示させるにあたり、スタッフステーション等の施設内共用部に在室中の医療・看護従事者は、親機操作部３１を用いて、その被看護人が有する被看護人識別ＩＤ「０００１」を入力するとともに所定の時間である例えば、「１１月１５日午後３時」の読出時刻データを指定する（ステップＳＴ１１、ＳＴ１２、ＳＴ１３）。これらの操作を検出した親機ＣＰＵ３３は、被看護人識別ＩＤ「０００１」及び読出時刻データ「１１月１５日午後３時」を付加した情報読出制御信号を生成する。この情報読出制御信号は、前述の入院時被看護人情報及び移動先被看護人情報と同様な信号伝送路を経由して図２（Ａ）に示す制御機５の制御機ＣＰＵ５１に伝送される。
【００４５】
制御機５の制御機ＣＰＵ５１は、ナースコール親機３から伝送されてきた情報読出制御信号を受信すると、この信号に付加された被看護人識別ＩＤ「０００１」に割当てられて制御機記憶部５０に時系列で管理（記憶）されている病床ＩＤのうち、同様に付加された読出時刻データ「１１月１５日午後３時」に該当する病床ＩＤを読出すことができる（ステップＳＴ１４）。また、制御機ＣＰＵ５１は、制御機記憶部５０から読出した病床ＩＤをもとに、この病床ＩＤに該当する動線履歴情報として、例えば、移動先病床ＩＤに対応させた図４（Ａ）に示すフロア病床レイアウトを生成する。さらに、制御機ＣＰＵ５１で生成されたフロア病床レイアウトの動線履歴情報は、前述の入院時被看護人情報、移動時被看護人情報及び情報読出制御信号と逆の信号伝送路を経由してナースコール親機３の親機ＣＰＵ３３に伝送される。
【００４６】
ナースコール親機３の親機ＣＰＵ３３は、制御機５から伝送されてきた動線履歴情報を受信すると、一定時間、例えば、１０秒の計時を開始し、この時間内、読出時刻データ「１１月１５日午後３時」」に該当する動線履歴情報として、図４（Ａ）に示すフロア病床レイアウトで親機表示部３０に表示させる（ステップＳＴ１５）。なお、親機ＣＰＵ３３は、親機表示部３０にフロア病床レイアウトで表示させた前述の読出時刻データ「１１月１５日午後３時」に該当する動線履歴情報を、プリンタ側親機Ｉ／Ｆ３５からプリンタラインＬ3を経由してプリンタ４に送出し、このプリンタ４を用いて印刷することもできる（ステップＳＴ１５）。
【００４７】
また、ナースコール親機３の親機ＣＰＵ３３によれば、前述のような一定時間の計時が経過すると、その経過直前に親機表示部３１に表示されていた読出時刻データ「１１月１５日午後３時」の動線履歴情報に該当する移動先病床ＩＤから所定の時間遡った当該動線履歴情報に該当する病床ＩＤ、例えば、６時間分遡った当該動線履歴情報に該当する病床ＩＤを制御機５の制御機記憶部５０から読出すにあたって、所定の被看護人識別ＩＤ「０００１」を付加した情報再読出制御信号を生成する（ステップＳＴ１６）。この情報再読出制御信号は、前述の入院時被看護人情報、移動先被看護人情報及び情報読出制御信号と同様な信号伝送路を経由して制御機５の制御機ＣＰＵ５１に伝送される。
【００４８】
制御機５の制御機ＣＰＵ５１は、ナースコール親機３の親機ＣＰＵ３３から伝送されてきた情報再読出制御信号を受信すると、被看護人識別ＩＤ「０００１」に割当てられて制御機記憶部５０に時系列で管理（記憶）されている病床ＩＤのうち、読出時刻データ「１１月１５日午後３時」の動線履歴情報に該当する移動先病床ＩＤから所定の時間である例えば、６時間分ずつ遡った動線履歴情報に該当する病床ＩＤ、すなわち、「１１月１５日午前９時」→「１１月１５日午前３時」→「１１月１４日午後９時」→・・・の当該動線履歴情報にそれぞれ該当する病床ＩＤを順次読出すことができる（ステップＳＴ１７）。また、制御機ＣＰＵ５１は、制御機記憶部５０から順次読出した病床ＩＤをもとに、これらの病床ＩＤに該当する動線履歴情報として、例えば、移動先病床ＩＤ（又は入院時病床ＩＤ）に対応させた図４（Ｂ）、（Ｃ）、（Ｄ）、・・・にそれぞれ示すフロア病床レイアウトを生成し、ナースコール親機３の親機ＣＰＵ３３に送出する。
【００４９】
なお、制御機５の制御機ＣＰＵ５１の制御により、所定の時間である例えば、６時間分ずつ遡った動線履歴情報に該当する病床ＩＤを制御機記憶部５０から順次読出す動作は、スタッフステーション等の施設内共用部に在室中の医療・看護従事者が、ナースコール親機３の親機操作部３１を用いて停止操作を行わない限り継続される。すなわち、前述の停止操作が行われない限り、最終読出しの病床ＩＤとしては、入院時病床ＩＤが制御機記憶部５０から読出され、この入院時病床ＩＤに対応するフロア病床レイアウトの動線履歴情報が制御機ＣＰＵ５１で生成されることになる。
【００５０】
また、ナースコール親機３の親機ＣＰＵ３３は、制御機５から順次伝送されてきた動線履歴情報を受信すると、「１１月１５日午前９時」→「１１月１５日午前３時」→「１１月１４日午後９時」→・・・にそれぞれ該当する動線履歴情報として、図４（Ｂ）、（Ｃ）、（Ｄ）、・・・に示すフロア病床レイアウトで、一定時間である例えば、１０秒毎に切換えて親機表示部３０に表示させる（ステップＳＴ１８、ＳＴ１９）。なお、親機ＣＰＵ３３は、親機表示部３０にフロア病床レイアウトで順次表示させたに動線履歴情報を、プリンタ側親機Ｉ／Ｆ３５からプリンタラインＬ3を経由してプリンタ４に送出し、このプリンタ４を用いて印刷することもできる（ステップＳＴ１８、ＳＴ１９）。
【００５１】
前述までの説明から明らかなように、本発明の実施例によれば、被看護人による施設内への入院時から退院時までの病床ＩＤを当該被看護人が有する被看護人識別ＩＤに割当てて制御機５の制御機記憶部５０に時系列で管理し、この病床ＩＤをもとに生成されるフロア病床レイアウトで、被看護人の動線履歴情報をナースコール親機３の親機表示部３０に表示させることができる。したがって、医療・看護従事者によれば、被看護人に例えば、感染症が発覚した場合、親機表示部３０に時系列で表示させた動線履歴情報をもとに、接触した他の被看護人の情報や病床移動にあたっての滞在時間等を確認することができ、感染症対策が容易となる。
【００５２】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５３】
具体的に本発明の実施例においては、制御機５から順次伝送されてくる動線履歴情報をフロア病床レイアウトでナースコール親機３の親機表示部３０に表示させるにあたって、その切換えのタイミングを、一定時間である例えば、１０秒のように自動で行ったが、このタイミングに限定されるものではない。例えば、スタッフステーション等の施設内共用部に在室中の医療・看護従事者が、親機操作部３１を用いて人為的な切換操作を行うことで、その表示を切換えることもできる。
【００５４】
また、本発明の実施例においては、被看護人による施設内への入院時から退院時までの病床ＩＤを時系列で管理（記憶）する記憶部を、制御機記憶部５０として制御機５に備えた構成を適用したが、この態様に限定されるものではない。例えば、図１に示すように、被看護人の疾患に係る担当科データ、検査や手術に係るオーダデータ、電子カルテデータ等の被看護人関連情報が記憶されるオーダリング等のサーバ６に記憶部５０を備え、このサーバ６を制御機５によって制御させることもできる。この態様によれば、被看護人識別ＩＤに割当てられた病床ＩＤを例えば、被看護人関連情報とともに一元的に管理することができる。
【００５５】
また、本発明の実施例においては、ナースコール親機３の親機表示部３０にフロア病床レイアウトの動線履歴情報を表示させるにあたり、そのフロア病床レイアウトを制御機５の制御機ＣＰＵ５１で生成したが、この態様に限定されるものではない。例えば、制御機ＣＰＵ５１の制御により制御機記憶部５０から読出した病床ＩＤを親機ＣＰＵ３３に送出することで、この親機ＣＰＵ３３でフロア病床レイアウト（の動線履歴情報）を生成させることもできる。
【００５６】
また、本発明の実施例においては、子機ラインＬ1を経由してナースコール子機１、１、・・・、１、１、・・・、・・・がそれぞれ接続される廊下灯２、２、・・・と、ナースコール親機３を、個別のライン（廊下灯ライン、親機ライン）Ｌ2、Ｌ3をそれぞれ経由して制御機９に接続させた構成を適用したが、この態様に限定されるものではない。例えば、子機ラインＬ1を経由してナースコール子機１、１、・・・、１、１、・・・、・・・がそれぞれ接続される廊下灯２、２、・・・、ナースコール親機３、プリンタ４及び制御機５をそれぞれ、共通バスであるＬＡＮ配線に所定の信号分岐機能、例えば、ハブを経由して接続させた構成を適用することもできる。
【００５７】
また、本発明の実施例においては、ナースコール親機３の親機表示部３０にフロア病床レイアウトで表示される動線履歴情報を印刷するプリンタ４を、プリンタラインＬ4を経由してナースコール親機３に接続させたが、この態様に限定されるものではない。例えば、プリンタ４を所定のラインを経由して制御機５に接続し、このプリンタ４をナースコール親機３の親機ＣＰＵ３３により制御機５を経由して制御することもできる。なお、プリンタ４については、任意の構成部とされ不備とすることもできる。
【００５８】
さらに、本発明の実施例においては、ナースコール子機１、１、・・・、１、１、・・・、・・・を用いた被看護人からの呼出しに医療・看護従事者が応答して通話を成立させる機器として、スタッフステーション等の施設内共用部に設置されるナースコール親機３を適用したが、この態様に限定されるものではない。例えば、このナースコール親機３のみならず、施設内を移動中の医療・看護従事者により携帯される例えば、スマートフォン等の高機能情報端末やＰＨＳ端末等の携帯情報端末を適用することもできる。この携帯情報端末は、通常、基地局や交換機を経由して制御機５により接続されるものである。
【符号の説明】
【００５９】
１、１、・・・、１、１、・・・、・・・……ナースコール子機
３……ナースコール親機
３０……親機表示部
３１……親機操作部
３３……親機ＣＰＵ
５……制御機
５０……制御機記憶部（記憶部）
５１……制御機ＣＰＵ
６……サーバ
５０……記憶部
【図１】
2014083353.tif 000003
【図２】
2014083353.tif 000004
【図３】
2014083353.tif 000005
【図４】
2014083353.tif 000006